【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
ＳＩＰ（Session Initiation Protocol）に従った呼制御を実行可能な送信装置であって、
暗号通信を実行するための第１宛先情報及び平文通信を実行するための第２宛先情報のいずれかを指定する指定手段と、
前記指定手段により指定された宛先情報を含むＩＮＶＩＴＥコマンドを受信装置に対して送信する送信手段と、
前記送信手段が送信したＩＮＶＩＴＥコマンドに対する応答として前記受信装置から通知されるポート番号を受信する受信手段と、
前記指定手段により前記第１宛先情報が指定された場合は、前記受信手段が受信したポート番号に接続して暗号通信を実行し、前記指定手段により前記第２宛先情報が指定された場合は、前記受信手段が受信したポート番号に接続して平文通信を実行する通信制御手段と、
を備えることを特徴とする送信装置。
【請求項２】
原稿上の画像を読み取って、当該画像に基づく画像データを生成する読取手段を更に備え、
前記通信制御手段は、前記読取手段により生成された画像データを暗号通信または平文通信を用いて前記受信装置に対して送信することを特徴とする請求項１に記載の送信装置。
【請求項３】
前記第１宛先情報及び前記第２宛先情報は、ＩＮＶＩＴＥコマンドのＴｏヘッダに記述されることを特徴とする請求項１または２に記載の送信装置。
【請求項４】
ＳＩＰ（Session Initiation Protocol）に従った呼制御を実行可能な受信装置であって、
暗号通信を実行するための第１宛先情報及び平文通信を実行するための第２宛先情報のいずれかを含むＩＮＶＩＴＥコマンドを送信装置から受信する受信手段と、
前記受信手段が受信したＩＮＶＩＴＥコマンドに含まれる宛先情報が、前記第１宛先情報及び前記第２宛先情報のいずれであるかを判別する判別手段と、
前記判別手段により判別された宛先情報が前記第１宛先情報である場合は、暗号通信のための第１ポート番号を前記送信装置に通知し、前記判別手段により判別された宛先情報が前記第２宛先情報である場合は、平文通信のための第２ポート番号を前記送信装置に通知する通知手段と、
を備えることを特徴とする受信装置。
【請求項５】
前記通知手段がポート番号を通知した後、当該通知したポート番号に対する前記送信装置からの接続を受けて暗号通信または平文通信を実行する通信制御手段を更に備えることを特徴とする請求項４に記載の受信装置。
【請求項６】
暗号通信を実行するための宛先情報及び平文通信を実行するための宛先情報を設定するための設定画面を表示する表示手段を更に備え、
前記第１宛先情報及び前記第２宛先情報は、前記表示手段に表示される前記設定画面を介してユーザが入力可能であることを特徴とする請求項４または５に記載の受信装置。
【請求項７】
前記第１宛先情報及び前記第２宛先情報は、ＩＮＶＩＴＥコマンドのＴｏヘッダに記述されることを特徴とする請求項４から６のいずれか１項に記載の受信装置。
【請求項８】
ＳＩＰ（Session Initiation Protocol）に従った呼制御を実行可能な送信装置の制御方法であって、
暗号通信を実行するための第１宛先情報及び平文通信を実行するための第２宛先情報のいずれかを指定する指定工程と、
前記指定工程で指定された宛先情報を含むＩＮＶＩＴＥコマンドを受信装置に対して送信する送信工程と、
前記送信工程で送信したＩＮＶＩＴＥコマンドに対する応答として前記受信装置から通知されるポート番号を受信する受信工程と、
前記指定工程で前記第１宛先情報が指定された場合は、前記受信工程で受信したポート番号に接続して暗号通信を実行し、前記指定工程で前記第２宛先情報が指定された場合は、前記受信工程で受信したポート番号に接続して平文通信を実行する通信制御工程と、
を備えることを特徴とする送信装置の制御方法。
【請求項９】
ＳＩＰ（Session Initiation Protocol）に従った呼制御を実行可能な受信装置の制御方法であって、
暗号通信を実行するための第１宛先情報及び平文通信を実行するための第２宛先情報のいずれかを含むＩＮＶＩＴＥコマンドを送信装置から受信する受信工程と、
前記受信工程で受信したＩＮＶＩＴＥコマンドに含まれる宛先情報が、前記第１宛先情報及び前記第２宛先情報のいずれであるかを判別する判別工程と、
前記判別工程で判別された宛先情報が前記第１宛先情報である場合は、暗号通信のための第１ポート番号を前記送信装置に通知し、前記判別工程で判別された宛先情報が前記第２宛先情報である場合は、平文通信のための第２ポート番号を前記送信装置に通知する通知工程と、
を備えることを特徴とする受信装置の制御方法。
【手続補正２】
【補正対象書類名】明細書
【補正対象項目名】発明の名称
【補正方法】変更
【補正の内容】
【発明の名称】送信装置、受信装置、送信装置の制御方法および受信装置の制御方法
【手続補正３】
【補正対象書類名】明細書
【補正対象項目名】０００１
【補正方法】変更
【補正の内容】
【０００１】
本発明は、ＳＩＰ（Session Initiation Protocol）に従った呼制御を実行可能な送信装置、受信装置、送信装置の制御方法および受信装置の制御方法に関する。
【手続補正４】
【補正対象書類名】明細書
【補正対象項目名】０００９
【補正方法】変更
【補正の内容】
【０００９】
本発明の目的は、ユーザの意図に応じて暗号通信と平文通信とを確実に使い分けることができる送信装置、受信装置、送信装置の制御方法および受信装置の制御方法を提供することにある。
【手続補正５】
【補正対象書類名】明細書
【補正対象項目名】００１０
【補正方法】変更
【補正の内容】
【００１０】
本発明は、上記目的を達成するため、ＳＩＰ（Session Initiation Protocol）に従った呼制御を実行可能な送信装置であって、暗号通信を実行するための第１宛先情報及び平文通信を実行するための第２宛先情報のいずれかを指定する指定手段と、前記指定手段により指定された宛先情報を含むＩＮＶＩＴＥコマンドを受信装置に対して送信する送信手段と、前記送信手段が送信したＩＮＶＩＴＥコマンドに対する応答として前記受信装置から通知されるポート番号を受信する受信手段と、前記指定手段により前記第１宛先情報が指定された場合は、前記受信手段が受信したポート番号に接続して暗号通信を実行し、前記指定手段により前記第２宛先情報が指定された場合は、前記受信手段が受信したポート番号に接続して平文通信を実行する通信制御手段と、を備えることを特徴とする送信装置を提供する。
【手続補正６】
【補正対象書類名】明細書
【補正対象項目名】００１１
【補正方法】変更
【補正の内容】
【００１１】
本発明は、上記目的を達成するため、ＳＩＰ（Session Initiation Protocol）に従った呼制御を実行可能な受信装置であって、暗号通信を実行するための第１宛先情報及び平文通信を実行するための第２宛先情報のいずれかを含むＩＮＶＩＴＥコマンドを送信装置から受信する受信手段と、前記受信手段が受信したＩＮＶＩＴＥコマンドに含まれる宛先情報が、前記第１宛先情報及び前記第２宛先情報のいずれであるかを判別する判別手段と、前記判別手段により判別された宛先情報が前記第１宛先情報である場合は、暗号通信のための第１ポート番号を前記送信装置に通知し、前記判別手段により判別された宛先情報が前記第２宛先情報である場合は、平文通信のための第２ポート番号を前記送信装置に通知する通知手段と、を備えることを特徴とする受信装置を提供する。
【手続補正７】
【補正対象書類名】明細書
【補正対象項目名】００１２
【補正方法】変更
【補正の内容】
【００１２】
本発明は、上記目的を達成するため、送信装置の制御方法および受信装置の制御方法を提供する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】